(57)【要約】【課題】  外周部が平坦部を有する指輪でも自立させようとするには不安定であり、ちょっとした衝撃でも倒れてしまうという問題があり、特に複雑な形状をした意匠性の高い宝飾部材などを備えた指輪の自立展示はほとんど不可能である。【解決手段】  指輪の背部の表側に、両外側面が開口した矩形の凹部を削成し、同凹部に高さが凹部深さと同じ小片を回動可能に軸着してなり、指輪装着時は小片が全て凹部に収容され、不装着時には小片を略直角方向に回動させて十字状の載置面を形成した安定自立可能な指輪による。【選択図】  図３
2006055453.tif 000002
【特許請求の範囲】
【請求項１】
指輪の背部の表側に、両外側面が開口した矩形の凹部を削成し、同凹部に高さが凹部深さと同じ小片を回動可能に軸着してなり、指輪装着時は小片が全て凹部に収容され、不装着時には小片を略直角方向に回動させて十字状の載置面を形成して載置台上に指輪を安定的に自立させ得るようにしたことを特徴とする安定自立可能な指輪。
【請求項２】
凹部及び小片の正面形状が、縦断鼓型のものであることを特徴とする請求項１に記載の安定自立可能な指輪。
【請求項３】
指輪の背部の表側に、両外側面が開口した矩形の凹部を削成し、同凹部に高さが凹部深さと同じ小片でかつその長さ方向にスリットを有する小片を、前記凹部の中央に垂設され前記小片のスリットに挿通された支軸によって回動及びスライド可能に装着してなり、指輪装着時は小片が全て凹部に収容され、不装着時には小片を回動・スライドさせて最も安定した自立が得られる載置面を形成して載置台上に指輪を安定的に自立させ得るようにしたことを特徴とする安定自立可能な指輪。
【請求項４】
指輪の背部の表側に、両外側面が開口した矩形の凹部を削成し、同凹部に高さが凹部深さと同じ小片をその端部付近で回動可能に軸着してなり、指輪装着時は小片が全て凹部に収容され、不装着時には小片を略直角方向に回動させてほぼＬ字状の載置面を形成して載置台上に指輪を安定的に自立させ得るようにしたことを特徴とする安定自立可能な指輪。
【請求項５】
前記指輪が宝飾部の重心が指輪の環状部上に位置しない形状をした意匠性の高い指輪であることを特徴とする請求項１〜４のいずれか１項に記載の安定自立可能な指輪。
【請求項６】
前記小片が、その両端面に半球形状の微小突起を具備し、前記小片が前記凹部に収容されたときに該微小突起が前記凹部の側壁に穿設された微小窪みに係止されるよう構成されてなることを特徴とする請求項１〜５のいずれか１項に記載の安定自立可能な指輪。
【発明の詳細な説明】
【技術分野】
【０００１】
本発明は、支持部材を用いることなく自立する指輪、則ち自立機能を有する指輪に関する。
【背景技術】
【０００２】
従来、指輪は外周部がほぼ円形をなしているので、自立させることは困難であり、展示等のために指輪を立てておこうとする場合には、指輪を挟んで保持する支持台や指輪ケースを必要とし、これら支持台や指輪ケースに指輪を装着・保持させるのに手間がかかるという問題があった。さらに、前記支持台や指輪ケースは、指輪自体より大きいものがほとんどで、展示場所や保管場所が大きく占領されてしまうという問題もあった。
これらを解決する手段として、本発明者は先に特開２００２−１７２００５号公報で開示されているように、指輪の環状部の一部を弧状に除去して平坦部を構成し、その平坦部で自立可能とする発明を開示している。
また、その他、実用新案登録第３０７６００６号公報において、指輪外周部の宝飾部に対向する位置に長方形状又は長円状の平坦部を形成して、自立展示を可能にした指輪の考案も開示されている。
【特許文献１】特開２００２−１７２００５号公報
【特許文献２】実用新案登録第３０７６００６号公報
【発明の開示】
【発明が解決しようとする課題】
【０００３】
前記特開２００２−１７２００５号公報に開示される自立指輪、及び実用新案登録第３０７６００６号公報に開示される自立展示可能な指輪は、いずれも指輪の環状部の一部に形成した幅の狭い平坦部で自立させているため、不安定であり、ちょっとした衝撃でも倒れてしまうという問題があった。
また、指輪の宝飾部の部材は、宝飾部と同宝飾部と対向する位置に形成される平坦部を結ぶ線上に重心が配置されるように構成しなければならず、複雑な形状をした意匠性の高い宝飾部材などを備えた指輪には、採用することができなかった。
【課題を解決するための手段】
【０００４】
本発明は、上記課題を解決するものであり、下記構成の安定自立可能な指輪である。
（１）指輪の背部の表側に、両外側面が開口した矩形の凹部を削成し、同凹部に高さが凹部深さと同じ小片を回動可能に軸着してなり、指輪装着時は小片が全て凹部に収容され、不装着時には小片を略直角方向に回動させて十字状の載置面を形成して載置台上に指輪を安定的に自立させ得るようにしたことを特徴とする安定自立可能な指輪。
（２）凹部及び小片の正面形状が、縦断鼓型のものであることを特徴とする前記（１）に記載の安定自立可能な指輪。
【０００５】
（３）指輪の背部の表側に、両外側面が開口した矩形の凹部を削成し、同凹部に高さが凹部深さと同じ小片でかつその長さ方向にスリットを有する小片を、前記凹部の中央に垂設され前記小片のスリットに挿通された支軸によって回動及びスライド可能に装着してなり、指輪装着時は小片が全て凹部に収容され、不装着時には小片を回動・スライドさせて最も安定した自立が得られる載置面を形成して載置台上に指輪を安定的に自立させ得るようにしたことを特徴とする安定自立可能な指輪。
【０００６】
（４）指輪の背部の表側に、両外側面が開口した矩形の凹部を削成し、同凹部に高さが凹部深さと同じ小片をその端部付近で回動可能に軸着してなり、指輪装着時は小片が全て凹部に収容され、不装着時には小片を略直角方向に回動させてほぼＬ字状の載置面を形成して載置台上に指輪を安定的に自立させ得るようにしたことを特徴とする安定自立可能な指輪。
【０００７】
（５）前記指輪が宝飾部の重心が指輪の環状部上に位置しない形状をした意匠性の高い指輪であることを特徴とする前記（１）〜（４）のいずれか１項に記載の安定自立可能な指輪。
【０００８】
（６）前記小片が、その両端面に半球形状の微小突起を具備し、前記小片が前記凹部に収容されたときに該微小突起が前記凹部の側壁に穿設された微小窪みに係止されるよう構成されてなることを特徴とする前記（１）〜（５）のいずれか１項に記載の安定自立可能な指輪。
【発明の効果】
【０００９】
本発明の安定自立可能な指輪は、次のような効果を発揮する。
（ア）指輪を展示・陳列する際、指輪を挟んで保持する支持台や指輪ケース等の展示用具を必要とせず、指輪自体を安定に自立させておけるので、展示に要する手間とスペースを省くことができる。
（イ）展示・陳列の際に、展示用具を使用せずに、指輪の全外観が観賞することができ、店頭等での販売にあたっては、指輪を展示ケースから取り出すことなく当該指輪の説明ができるので、盗難予防にも役立つ。
（ウ）指輪の使用者が、指から外した指輪を、机や台の上に自立させてインテリアとして楽しむことができる。
（エ）本発明によれば宝飾部の重心が指輪の環状部上に位置しない複雑な形状をした意匠性の高い指輪であっても、安定して自立させることができるので、宝飾部の形状、大きさ等に限定されることなく、前記（ア）〜（ウ）の効果を発揮することができる。
（オ）請求項６の発明によれば、小片が凹部に収容された際、小片端部の半球形の微小突起が凹部側面の微小窪みに係止されるので、指輪装着時に前記小片が回動することなく安全に使用できる。
【発明を実施するための最良の形態】
【００１０】
本発明の安定自立可能な指輪は、指輪の背部の表側に、両外側面が開口した矩形の凹部を削成し、同凹部に高さが凹部の深さと同じ小片を回動可能に軸着して構成され、指輪の装着時は小片が全て凹部に収容され、不装着時には小片をほぼ直角方向に回動させて載置面を形成し、載置台上に指輪を安定的に自立させ得るように構成されている。
本発明は、一般的な指輪全般に採用できるものであり、指輪の環状部７（図１参照）の大きさ、太さ等形状が限定されることはなく、また、その材質や、装飾部を構成するものにも限定されないが、指輪（環状部）の材質と、小片の材質を同一とすると、強度や硬度の違いによる損傷などがなく好ましい。もちろん、異なる材質で形成し、意匠性の高い指輪を提供することもできる。特に小片を指輪（環状部）の材質より重い材質で構成すると、自立させた際に安定性が向上する。
【００１１】
また、本発明の安定自立可能な指輪は、指輪の背部の表側に、両外側面が開口した矩形の凹部を削成し、同凹部に高さが凹部深さと同じ小片でかつその長さ方向にスリットを有する小片を、前記凹部の中央に垂設され前記小片のスリットに挿通された支軸によって回動及びスライド可能に装着して構成され、指輪装着時は小片が全て凹部に収容され、不装着時には小片を回動・スライドさせて最も安定した自立が得られる載置面を形成して載置台上に指輪を安定的に自立させ得るように構成することもでき、前記構成により、
指輪の装飾部が複雑な形状で造形されたような意匠性の高い指輪であって、装飾部を上にして指輪を立てた時に、垂直に重心がかからない、則ち指輪の環状部上に装飾部の重心が位置しないような、環状部を垂直に立てても傾いてしまう指輪であっても、本発明を採用することができるものとなっている。
上記のように、本発明の安定自立可能な指輪は、前記スリットに挿通された支軸を、スリット上をスライドさせることにより、指輪全体のバランスを調整することができる構成となっている。
また、指輪の背部の表側に削成される矩形の凹部は、同凹部に収容される小片を略直角方向に回動させて載置面を形成することができる形状であればよく、また小片も凹部の形状に適合した形状のものであればよい。
なお、小片を凹部に装着する際には、ネジや、ピンなどを支軸として採用することができ、支軸の頭部にプラス溝を形設すれば、ドライバーなどの工具を使って緊緩でき、微調整も容易である。
【００１２】
本発明の安定自立可能な指輪にかかる実施の形態を、図に基づいて説明する。
図１は本発明の安定自立可能な指輪の装着時の側面図（ａ）と背面図（ｂ）、図２は本発明の安定自立可能な指輪の自立時の側面図（ａ）と背面図（ｂ）、図３は本発明の安定自立可能な指輪の自立時の斜視図、図４は本発明第２の実施例の自立時の斜視図（ａ）と背面図（ｂ）と一部詳細説明図（ｃ）、図５は本発明第３の実施例の自立時の斜視図（ａ）と背面図（ｂ）である。
図中、１は指輪、２は指輪の背部、３は凹部、４は小片、５は支軸、５ａは支軸頭部、５ｂはプラス溝、６は宝飾部、７は環状部、８は微小突起、９は微小窪み、１０はスリットである。
【実施例１】
【００１３】
本発明の安定自立可能な指輪１（以下指輪と略称する）は、図１〜３に示すように、指輪１の宝飾部６に対向する背部２の表側に、両外側面が開口した矩形の凹部３を削成し、同凹部３に高さが凹部３の深さと同じ小片４が、前記凹部３の中央に垂設された支軸５によって回動可能に軸着されている。
本指輪１を指に装着する際には、図１の本発明の安定自立可能な指輪の装着時の側面図（ａ）と背面図（ｂ）、図２の本発明の安定自立可能な指輪の自立時の側面図（ａ）と背面図（ｂ）、図３の本発明の安定自立可能な指輪の自立時の斜視図に示したように前記小片４を全て凹部３に収容するので使用にあたって違和感は生じない。なお、小片４の両端部に半球形状の微小突起８を、凹部３の両側壁に微小窪み９を設け、前記微小突起８が微小窪み９に係止されることにより、指輪１の装着時に前記小片４が回動するのを防止することができる。
また、不装着時に小片４を図２又は図３に示すように略直角方向に回動させて十字状の載置面を形成すれば、指輪を安定に自立させられるので、展示・陳列にあたって何らの展示用具を必要とせず、指輪を展示用具に装着する手間が省け、また展示スペースも少なくできる。
なお、凹部３及び小片４の正面形状を、縦断鼓型に形成すると、指輪１を自立させた時の安定性が高く好ましい。
そして、支軸５として、ボルトやネジなどを採用することにより、小片の回動が潤滑となり、かつ支軸頭部５ａが小片を支持することにより、確実に指輪の凹部に小片を軸着することができる。
また、支軸頭部５ａにプラス溝５ｂやマイナス溝（図示せず）を形設することにより、支軸５をドライバーなどの工具で緊緩でき、微調整が可能となる。
【実施例２】
【００１４】
本発明第２の実施例の指輪１は、図４の本発明第２の実施例の自立時の斜視図（ａ）と背面図（ｂ）と一部詳細説明図（ｃ）に示すように、指輪の背部２の表側に、両外側面が開口した矩形の凹部３を削成し、同凹部３に、高さが凹部３の深さと同じでかつその長さ方向に穿設されたスリット１０を有する小片４が、前記凹部３の中央に垂設された支軸５にスライド可能に装着されている。
本指輪１を指に装着する際には小片４が全て凹部３に収容されるが、この時小片４の両端部に半球形状の微小突起８を、また凹部３の両側壁に微小窪み９を設け、前記微小突起８が微小窪み９に係止されることにより、指輪装着時に前記小片４が回動するのを防止することが好ましい。
不装着時には小片４を支軸５によって回動させ、またスリット１０を利用して任意の方向にスライドさせ引き出して、前記指輪１が最も安定して自立できる載置面を形成する。これによって指輪１の宝飾部６の重心が指輪１の環状部７上に位置しない一方向に荷重がかかるような複雑な形状をした意匠性の高い指輪であっても、安定して自立させることができる。
なお、支軸５は、指輪装着時に邪魔とならないよう構成される。
例えば、図４（ｃ）に示すように、小片４に支軸頭部５ａを嵌合させる構成とすることにより、指輪１の装着時に支軸頭部５ａが突出することはない。
【実施例３】
【００１５】
本発明第３の実施例は、主に宝飾部６の重心が指輪１の環状部７上に位置しない複雑な形状をした意匠性の高い指輪に関するものであって、図５の本発明第３の実施例の自立時の斜視図（ａ）と背面図（ｂ）に示すように、指輪の背部２の表側に、両外側面が開口した矩形の凹部３を削成し、同凹部３に、高さが凹部３の深さと同じ小片４が、その端部で前記凹部３垂設された支軸５に回動可能に軸着されており、本指輪１を指に装着する場合には、前記小片４を全て凹部３に収容し、不装着時に小片４を図５に示すように前記宝飾部６の重心が環状部７よりはみ出している側に略直角に回動させてＬ字状の載置面を形成して、指輪を安定に自立させる。
【産業上の利用可能性】
【００１６】
環状体の一部に、両外側面が開口した矩形の凹部を削成し、同凹部に高さが凹部深さと同じ小片を回動可能に軸着し、指輪装着時は小片が全て凹部に収容され、不装着時には小片を略直角方向に回動させて載置面を形成できるので、自立展示困難又は不安定な自立しか望めない環状物体を安定自立可能とするのに利用できる。
【図面の簡単な説明】
【００１７】
【図１】本発明の安定自立可能な指輪の装着時の側面図（ａ）と背面図（ｂ）
【図２】本発明の安定自立可能な指輪の自立時の側面図（ａ）と背面図（ｂ）
【図３】本発明の安定自立可能な指輪の自立時の斜視図
【図４】本発明第２の実施例の自立時の斜視図（ａ）と背面図（ｂ）と一部詳細説明図（ｃ）
【図５】本発明第３の実施例の自立時の斜視図（ａ）と背面図（ｂ）
【符号の説明】
【００１８】
１：指輪
２：指輪の背部
３：凹部
４：小片
５：支軸
５ａ：支軸頭部
５ｂ：プラス溝
６：宝飾部
７：環状部
８：微小突起
９：微小窪み
１０：スリット
【図１】
2006055453.tif 000003
【図２】
2006055453.tif 000004
【図３】
2006055453.tif 000005
【図４】
2006055453.tif 000006
【図５】
2006055453.tif 000007